(57)【要約】【課題】シングルニット編地からなるウエルト部にカールを発生させず、かつ、適度な締め付け感を与えて身体へのフィット感を高め、さらに肌触りをよくすることができる端末編組織を提供する。【解決手段】端末側から編み始めるシングルニットからなるシングルウエルトの端末編組織であって、編み始めの止め編み領域の複数コースは全てのウエールでニットさせずに編成し、かつ、該止め編み領域では太い弾性芯糸を備えたシングルカバーリングヤーンからなる第１種編み糸を用いて編成し、該第１種編み糸で止め編み領域に外側へのカールを発生させない編成としている一方、前記止め編み領域に連続するウエルト編み領域では、前記第１種編み糸で編成したコースと、前記第１種編み糸の伸縮力以下とした編み糸を用いて編成したコースを組み合わせている【選択図】図２
2007131976.tif 000002
【特許請求の範囲】
【請求項１】
端末側から編み始めるシングルニットからなるシングルウエルトの端末編組織であって、
編み始めの止め編み領域の複数コースは全てのウエールでニットさせずに編成し、かつ、該止め編み領域では太い弾性芯糸を備えたシングルカバーリングヤーンからなる第１種編み糸を用いて編成し、該第１種編み糸で止め編み領域に外側へのカールを発生させない編成としている一方、
前記止め編み領域に連続するウエルト編み領域では、前記第１種編み糸で編成したコースと、前記第１種編み糸の伸縮力以下とした編み糸を用いて編成したコースを組み合わせていることを特徴とする端末編組織。
【請求項２】
前記止め編み領域は、編み始め端側の複数コースからなる第１止め編み部分と、該第１止め編み部分に連続する複数コースの第２止め編み部分から構成し、
前記第１止め編み部分は２〜３コースとし、各コースは１ウエールニットと２ウエールミスまたは１ウエールニットと３ウエールミスを繰り返すと共に、ニット位置はウエール方向で全てズラせている一方、
前記第２止め編み部分は３〜６コースとし、各コースは１ウエールタックと２ウエールミスまたは１ウエールタックと３ウエールミスを繰り返して編成している請求項１に記載の端末編組織。
【請求項３】
前記ウエルト編み領域は、１ウエールタックと１〜３ウエールミスを繰り返すコースと、ニットのみからなるコースとからなり、該ニットのみからなるコースを２〜３コース連続した後に前記タックとミスとのコースを１コース介在させて編成し、
前記タックとミスのコースは前記第１種編み糸を用い、ニットのみからなるコースは、前記第１種編み糸の弾性芯糸より細い弾性芯糸を備えたシングルカバーリングヤーンからなる第２種編み糸あるいは／および該第２種編み糸の伸縮力以下の伸縮力を有する編み糸を用いて編成している請求項１または請求項２に記載の端末編組織。
【請求項４】
前記止め編み領域およびウエルト編み領域に用いる前記第１種編み糸のシングルカバーリングヤーンとして、７０デシテックス〜２００デシテックスのポリウレタン弾性芯糸に、６ナイロンまたは６６ナイロンを巻き付けた糸を用いている請求項１乃至請求項３のいずれか１項に記載の端末編組織。
【請求項５】
前記ウエルト編み領域のニットのみからなるプレーン編み組織で用いる編み糸として、前記第１種編み糸の伸縮力以下の伸縮力を有する下記の（１）〜（３）編み糸を１種あるいは複数種類を用いている請求項１乃至請求項４のいずれか１項に記載の端末編組織。
（１）１０デシテックス〜４０デシテックスのポリウレタン弾性芯糸に、６ナイロンまたは６６ナイロンを巻き付けたシングルカバーリングヤーンからなる第２種編み糸
（２）ウーリーナイロン
（３）キュプラと６６ナイロンの混紡糸
【請求項６】
シングルシリンダにより編成した丸編地からなる請求項１乃至請求項５のいずれか１項に記載の端末編組織。
【請求項７】
請求項１乃至請求項６のいずれか1項に記載の端末編組織を備えた衣類。
【発明の詳細な説明】
【技術分野】
【０００１】
本発明は、端末編組織および該端末編組織を備えたトップおよびボトム下着等の衣類に関し、特に、端末をシングルニットとして薄くして外観に響かないようにすると共に外側に巻くようなカールの発生を防止するものである。
【背景技術】
【０００２】
靴下の穿き口端末、シャツの裾端末や袖口、ショーツの穿き口や足回り端末等のウエルト部分は、折り返して袋状としているダブルウエルトの場合が多い。この場合、端末の厚さが大きくなり、連続する身頃地との間に段差が発生して、これがアウターを通して外観に現出し、所謂“ひびく”現象が発生しやすい。そのため、ウエルト部分はシングルウエルト等として出来るだけ薄くすることが好ましいが、薄くすると、外側にカールして捲くれ上がりやすい問題が発生する。
即ち、ダブルウエルトとするとカールは発生しにくいが段差が生じる問題がある一方、シングルウエルトとすると段差は発生しないがカールが発生しやすい問題がある。
よって、従来より、シングルウエルトとして端末を薄くしながら、カールを発生させないことが求められている。
【０００３】
前記要望に対して、特開２００２−１４６６０９号公報（特許文献１）には、折り返してダブルウエルトとせず、弾性糸を編み込んで伸縮性を持たせたダブルニット編地からなるシングルウエルトが提供されている。このダブルニット編地では、図８（Ａ）に示すように、Ａ列の針Ｎ１とＢ列の針Ｎ２に給糸される糸で表目Ｓ１と裏目Ｓ２にループＲが形成されるため、表裏両面の張力のバランスが取れ、表側に編地が曲がり込むカールが発生しない利点がある。また、該シングルウエルトの場合、袋編に編成する場合と比較して編成工程が簡単となると共に厚さを薄くできるが、ダブルニット編地からなるため、シングルニット編地と比較すると、やはり厚さが大となり、端末に段差が発生しやすい問題は解消されていない。
【０００４】
ウエルト部分をシングルニット編地からなるシングルウエルトとすると、編成速度がダブルニットと比較して３倍程度速くなり生産性を上げる利点があると共に、厚さを薄くできる。しかしながら、図８（Ｂ）に示すように、シングルニット編地では1列に並列する針Ｎ３に給糸された糸が表目Ｓ１側にのみループＲが形成されるため、前記したように、表目側に編地のカールが発生して外側に捲れやすい問題がある。
【０００５】
そこで、本出願人は、特開２００４−１２４２９１号公報（特許文献２）において、図９に示すように、編み始めの止め編み領域２はニットとミスとからなるコースを弾性糸で編成している一方、該止め編み領域２に連続するウエルト編み領域３は地糸で編成した複数コースからなり、この複数のコースはニットにミスとタックを組み合わせ、これらニット、ミス、タック位置を表目と裏目の張力がバランスするように分散させて表目側にカールを発生させない構成としたシングルニットからなるシングルウエルトの端末編組織を提案している。
【０００６】
前記端末編組織は、シングルニットからなるため、ひびくといった問題を解消することができると共に、ウエルト編み領域３で表目と裏目の張力のバランスが取られるため、表目側にカールが発生するのを防止することができる。また、止め編み領域２のニットとミスを交えたコースを弾性糸で編成しているので、外側へのカールの発生を防止しつつ最端末において適度な締め付け力を付与することも可能である。
このように、特許文献２では、端末編組織をシングルニットとして薄くしながらカール発生を防止できるが、さらに、端末において身体への適切な締め付け力を付与してフィット感あるいは着用時の肌触りを高める点については、まだ改良の余地が残されている。
【０００７】
【特許文献１】特開２００２−１４６６０９号公報
【特許文献２】特開２００４−１２４２９１号公報
【発明の開示】
【発明が解決しようとする課題】
【０００８】
本発明は前記問題に鑑みてなされたものであり、シングルニット編地からなるウエルト部にカールを発生させず、かつ、適度な締め付け感を与えて身体へのフィット感を高め、更に肌触りをよくすることができる端末編組織を提供することを課題としている。
【課題を解決するための手段】
【０００９】
前記課題を解決するため、本発明は、端末側から編み始めるシングルニットからなるシングルウエルトの端末編組織であって、
編み始めの止め編み領域の複数コースは全てのウエールでニットさせずに編成し、かつ、該止め編み領域では太い弾性芯糸を備えたシングルカバーリングヤーンからなる第１種編み糸を用いて編成し、該第１種編み糸で止め編み領域に外側へのカールを発生させない編成としている一方、
前記止め編み領域に連続するウエルト編み領域では、前記第１種編み糸で編成したコースと、前記第１種編み糸の伸縮力以下とした編み糸を用いて編成したコースを組み合わせていることを特徴とする端末編組織を提供している。
【００１０】
前記のように、編み始めの止め編み領域では、どのウエールもニットすることなく複数コースを１つの編み糸で連続して編成しているため、カールの発生を防止することができる。かつ、シングルニットであるため、編み糸として太い弾性芯糸を備えた伸縮力の強い第１種編み糸を用いても厚くならずに薄さを保持でき、カール発生を抑制しながら、適度の締め付け感を付与することができる。
【００１１】
一方、前記止め編み領域に連続するウエルト編み領域では、前記第１種編み糸で編成したコースを設けていることで、適度な締め付け力の付与が可能となると同時に外側へのカールの発生も容易に抑制することができる。かつ、第１種編み糸のみでなく、該第１種編み糸よりも伸縮力が弱い編み糸で編成したコースと並設することで、止め編み領域よりは低い締め付け力として、身体への圧迫感を減少することができ、より着心地の良いものとしている。
前記ウエルト編み領域のコース数は前記止め編み領域のコース数より多くしていることが好ましい。
【００１２】
具体的には、前記止め編み領域では、編み始め端側の複数コースからなる第１止め編み部分と、該第１止め編み部分に連続する複数コースの第２止め編み部分から構成し、
前記第１止め編み部分は２〜３コースとし、各コースは１ウエールニット、２ウエールミスまたは１ウエールニット、３ウエールミスを繰り返すと共に、ニット位置はウエール方向で全てズラせる一方、
前記第２止め編み部分は３〜６コースとし、各コースは１ウエールタック、２ウエールミスまたは１ウエールタック、３ウエールミスを繰り返して編成している。
【００１３】
前記のように、編み始め端末の第１止め編み部分は２〜３コースとし、各コースを、１ウエールニット、２ウエールミスまたは１ウエールニット、３ウエールミスとして、選針を２本もしくは３本置きとすることで適切な締め付け力を付与でき、表目の張力も高くなりすぎないようにでき、且つ、ニット位置をウエール方向で全てズラせることにより張力の偏りを防ぐことができる。
また、前記のように、第２止め編み部分は３〜６コースとし、各コースは１ウエールタック、２ウエールミスまたは１ウエールタック、３ウエールミスとし、第１止め編み部分と同様に、選針を２本もしくは３本置きとすることで適切な締め付け力を付与できる。
【００１４】
前記ウエルト編み領域は、１ウエールタックと１〜３ウエールミスを繰り返すコースと、ニットのみからなるコースとからなり、該ニットのみからなるコースを２〜３コース連続した後に前記タックとミスとのコースを１コース介在させて編成し、
前記タックとミスのコースは前記第１種編み糸を用い、ニットのみからなるコースは、前記第１種編み糸の弾性芯糸より細い弾性芯糸を備えたシングルカバーリングヤーンからなる第２種編み糸あるいは／および該第２種編み糸の伸縮力以下の伸縮力を有する編み糸を用いて編成していることが好ましい。
【００１５】
前記のように、ウエルト編み領域は、伸縮力の弱い編み糸で編成したニットのみからなるコースを２〜３コース連続して設けることにより、止め編み領域よりも締め付け力を低減でき、圧迫感を減少させて着心地を高めることができる。また、シングルカバーリングヤーンからなる第２種編み糸を用いて編成すると、肌触りを良くすることもできる。
この際、ニットのみからなるプレーン編組織によって表目の張力が高まっても、該ニットのみからなるコースは伸縮力が弱い編み糸で編成するため、外側へのカール発生を効果的に抑制することができると共に適度な締め付け力も保持できる。
なお、ウエルト編み領域はコース数は限定されず、衣類の機能やデザインに応じてコース数を増減してウエルト編み領域の長さを調整しているが、前記止め編み領域のコース数の多くし、例えば、２０コース以上、さらに５０コース以上、１００コース〜３００コースとしてもよい。
【００１６】
前記止め編み領域およびウエルト編み領域に用いる伸縮力の強い第１種編み糸のシングルカバーリングヤーンとして、７０デシテックス〜２００デシテックスのポリウレタン弾性芯糸に、６ナイロンまたは６６ナイロンを巻き付けた糸を用いていることが好ましい。
ポリウレタン弾性芯糸の太さが７０デシテックス未満であると、締め付け力が弱すぎてウエルト部のカールしようとする力に負けてしまう場合がある。また、２００デシテックスを超えると、止め編み領域とウエルト編み領域とのバランスがとれず、締め付け力が強すぎ、着用感を損ねる場合がある。特に好ましくは、ポリウレタン弾性芯糸の太さが１００デシテックス〜１６０デシテックスである。
【００１７】
前記ウエルト編み領域のニットのみからなるプレーン編み組織で用いる編み糸として、前記第１種編み糸の伸縮力以下の伸縮力を有する下記の（１）〜（３）編み糸を１種あるいは複数種類を用いている。
（１）１０デシテックス〜４０デシテックスのポリウレタン弾性芯糸に、６ナイロンまたは６６ナイロンを巻き付けたシングルカバーリングヤーンからなる第２種編み糸
（２）ウーリーナイロン
（３）キュプラと６６ナイロンの混紡糸
外観や機能の点から、（１）の第２種編み糸のみ用いる場合、（１）の第２種編み糸に（２）のウーリーナイロンを添え糸として用いる場合、（１）の第２種編み糸に代えて、（２）のウーリーナイロンや（３）のキュプラと６６ナイロンの混紡糸を用いる場合がある。
前記（１）の第２種編み糸のシングルカバーリングヤーンにおいて、ポリウレタン弾性芯糸の太さが１０デシテックス未満であると、ニットのみからなるプレーン編み組織を形成しても締め付け力が弱すぎて心地よい装着感が得られなくなる場合がある一方、ポリウレタン弾性芯糸の太さが４０デシテックスを超えるともはやパワーの弱い編み糸ではなくなり、締め付け力が強すぎて装着感が悪くなったり、表目の張力が大幅に増大して外側へのカールが発生してしまったりする場合がある。特に好ましくは、ポリウレタン弾性芯糸の太さが１５デシテックス〜２５デシテックスである。
前記（２）のウーリーナイロンを用いると伸びの調整ができると共に、外嵌と肌ざわりを向上させることができる。他の糸とのバランス上で１０〜８０デシテックスの太さのものを用いるのが好適である。
前記（３）のキュプラと６６ナイロンの混紡糸を用いると、キュプラを混紡することで吸・放湿性を高めることができる。該混紡糸の混合割合はキュプラの吸・放湿性を損なわない範囲として４０〜９０デシテックスが好適に用いられる。
【００１８】
前記編地はシングルシリンダにより編成した丸編地からなることが好ましく、編み立てられたシングルニットの円筒状の編地は、パンツ、靴下、シャツ等の身頃、袖等を縫製なしで形成することができ、生産性を高めることができる。
【００１９】
本発明は、前記シングルニットの編地からなるシングルウエルトの端末編組織を備えた衣類を提供しており、特に、インナーウエアや靴下として好適に用いられる。具体的には、トップ衣類としては、シャツ、Ｔシャツ、タンクトップ、キャミソール等が挙げられ、これらのトップ衣類の裾や袖口を前記端末編組織からなるシングルウエルトとしている。また、ボトム衣類としては、ショーツ、パンツ、スパッツ、ガードル、レッグウエア、ストッキング、パンティストッキング、ソックス等が挙げられ、これらボトム衣類の穿き口や裾部等を前記端末編組織からなるシングルウエルトとしている。
【００２０】
これら衣類の裾、袖口、穿き口を前記構成のシングルニットからなるシングルウエルトとすると、薄くなるため段差が発生しにくく、薄物のアウターウエアを着用してもインナーウエアの端末が外部に響く現象が発生するのを防止できる。また、止め編み領域は太い弾性芯糸を備えたシングルカバーリングヤーンからなる伸縮力の強い第１種編み糸で編成しているため適度な締め付け力を付与することもでき、外側へのカール発生も防止できるため端末が外側へ捲れ上がることもない。
一方、ウエルト編み領域では、伸縮力の強いシングルカバーリングヤーンからなる第１種編み糸で編成したコースと、該第１種編み糸より伸縮力が弱い編み糸で編成したコースとを組み合わせているため、ウエルト編み領域においても適度な締め付け力の付与が可能となり装着感を向上させると共に、肌触りも良くすることができ、さらに外側へのカールの発生も抑制することができる。
【発明の効果】
【００２１】
前述したように、本発明によれば、編み始めの止め編み領域の複数のコースで全てのウエールでニットさせずミスを交えて編成しているため、外側へのカールの発生を抑制することができる。また、太い弾性芯糸を備えたシングルカバーリングヤーンからなる伸縮力の強い第１種編み糸で止め編み領域を編成することにより、外側へのカール発生を抑制しながら、適度な締め付け力も付与することができ、心地よい着用感を得ることができる。
【００２２】
また、止め編み領域に連続するウエルト編み領域で、伸縮力の強い第１種編み糸で編成したコースと、前記第１種編み糸より伸縮力の弱い編み糸で編成したコースとを組み合わせることにより、ウエルト編み領域においても適度な締め付け力の付与が可能となると共に、肌触りを良くすることができ、外側へのカールの発生も抑制することができる。
【発明を実施するための最良の形態】
【００２３】
以下、本発明の実施形態を図面を参照して説明する。
図１は、第一実施形態において、シングルシリンダの４インチの４口丸編機で編成した編地１を示す。図中、上端が編み始め端となり、上端から止め編み領域２、ウエルト編み領域３、本体編み領域４を連続させ、下端部にダブルウエルト編み領域５を設けている。
【００２４】
図２および図３は、止め編み領域２、ウエルト編み領域３の編み組織を示し、第１列目の針１０−１から第Ｎ列目の針１０−ｎの下に示す（○）は針１０に給糸してニットしている場合、（×）は針に給糸せずに飛ばしてミスしている場合、（△）は先のコースでニットした針に給糸してタックしている場合を示す。
【００２５】
編み始めの止め編み領域２は、１３０デシテックスのポリウレタン弾性芯糸に２８デシテックスの６６ナイロン糸を巻きつけたシングルカバーリングヤーン１１からなる第１種編み糸を用いている。該シングルカバーリングヤーン１１を給糸口から連続供給して第１止め編み部分２ａである第１コースＣ１から第３コースＣ３までの３コースと、第２止め編み部分２ｂである第４コースＣ４から第９コースＣ９までの６コースを編成している。
本実施形態においては、第１止め編み部分２ａのコースは、１ウエールニット→２ウエールミス→１ウエールニット→２ウエールミスを繰り返している。第２止め編み部分２ｂのコースは、１ウエールタック→２ウエールミス→１ウエールタック→２ウエールミスを繰り返している。
【００２６】
詳細には、第１コースＣ１は図２および図３に示すように、第１列目の針１０−１にニット○、第２、第３列目の針１０−２、１０−３はミス×、第４列目の針１０−４にニット○、第５、第６列目の針１０−５、１０−６はミスというように、１ウエールはニット、２ウエールはミスを繰り返している。
第２コースＣ２、第３コースＣ３は第１コースＣ１と同様に１ニット、２ミスを繰り返しているが、ニット位置は第２コースＣ２では第３列目の針１０−３、第６列目の針１０−６の位置とし、第３コースＣ３ではニット位置は第２列目の針１０−２、第５列目の針１０−５、第８列目の針１０−８の位置としている。このように、ニット位置はウエール方向で全て相違させ、他のコースはミスしている位置でニットしている。
【００２７】
このように、止め編み領域２の第１止め編み部分２ａにおいて、１つのコースで１ウエールニット、２ウエールミスを繰り返し、第２止め編み部分２ｂにおいて、１つのコースで１ウエールタック、２ウエールミスを繰り返して編成している。かつ、この第１、第２止め編み部分２ａ、２ｂからなる止め編み領域２では、太いポリウレタン弾性芯糸を備えたシングルカバーリングヤーン１１からなる伸縮力の強い第１種編み糸で編成することにより、外側へのカール発生を抑制している。
かつ、ニット位置をウエール方向で全て相違させ、他のコースではミスしている位置でニットするようにしているため、テンションの偏りがなく、周方向全体に略均等の適度な締め付け力を付与でき、着心地をよいものにしている。
【００２８】
止め編み領域２に連続するウエルト編み領域３のコースＣ１０、Ｃ１３，Ｃ１７では、１３０デシテックスのポリウレタン弾性芯糸に２８デシテックスの６６ナイロン糸を巻きつけたシングルカバーリングヤーン１１からなる伸縮力の強い第１種編み糸を１つの給糸口から供給して１ウエールタック→１ウエールミス→１ウエールタック→１ウエールミスを繰り返すを編成している。
【００２９】
ウエルト編み領域３の他のコースＣ１１，Ｃ１２，Ｃ１４，Ｃ１５，Ｃ１６、Ｃ１８、Ｃ１９、Ｃ２０では２０デシテックスのポリウレタン弾性芯糸に２８デシテックスの６６ナイロン糸を巻きつけたシングルカバーリングヤーン１２からなる伸縮力の弱い第２種編み糸を他の給糸口から供給して全ての針でニットするコースを編成している。
【００３０】
詳細には、図２および図３に示すように、第１０コースＣ１０では第１列目の針１０−１はタック△、第２列目の針１０−２はミス×、第３列目の針１０−３はタック△、第４列目の針１０−４はミス×というように、１ウエールタック、１ウエールミスをシングルカバーリングヤーン１１で繰り返している。
次に、第１１コースＣ１１および第１２コースＣ１２ではすべての針１０−１〜１０−ｎにニット○とし、前記伸縮力の弱いシングルカバーリングヤーン１２で編成している。この連続した２コースの後に、第１０コースＣ１０と同一の１ウエールタックと１ウエールミスを繰り返す第１３コースＣ１３を介在させている。この後さらに、ニットのみからなる３コース、１ウエールタックと１ウエールミスを繰り返す１コースというパターンを繰り返している。
なお、ウエルト編み領域３の長さは所要の長さとしている。よって、ウエルト編み領域３の長さを短くしたい場合には、繰り返しコース数を少なくし、より長くしたい場合は繰り返しコース数を長くすればよい。
【００３１】
このように、ウエルト編み領域３では、伸縮力の弱い第２種編み糸１２でニットのみからなるコースＣ１１、Ｃ１２の２コース連続して設けた後に、伸縮力の強い第１種編み糸１１で編成した１ウエールタック、１ウエールミスを繰り返すコースを１コース設け、続いて、前記第２種編み糸１２でニットのみからなるコースを３コース連続させ、以下、これを繰り返すことで、止め編み領域よりは低い締め付け力として身体への圧迫感を減少して装着感を向上させることができると共に、外側へのカール発生を効果的に抑制することができる。かつ、ウエルト編み領域３も止め編み領域２と同様にシングルカバーリングヤーンからなる第１種、第２種の編み糸のみで編成しているため肌触りも良くすることができる。
【００３２】
図４は第二実施形態を示す。
第一実施形態との相違点は、ウエルト編み領域において、ニットのみからなるコースを３つ連続する部分で、中間のコースは第２種編み糸１２ではなく、キュプラとナイロンとの混紡糸１３を用いてニットとしている点である。
【００３３】
即ち、ウエルト編み領域３のコースＣ１０、Ｃ１３，Ｃ１７では、１３０デシテックスのポリウレタン弾性芯糸に２８デシテックスの６６ナイロン糸を巻きつけたシングルカバーリングヤーン１１からなる伸縮力の強い第１種編み糸を１つの給糸口から供給して１ウエールタック→１ウエールミス→１ウエールタック→１ウエールミスを繰り返すを編成している。
また、コースＣ１１，Ｃ１２，Ｃ１４，Ｃ１６、Ｃ１８、Ｃ２０では２０デシテックスのポリウレタン弾性芯糸に２８デシテックスの６６ナイロン糸を巻きつけたシングルカバーリングヤーン１２からなる伸縮力の弱い第２種編み糸を他の給糸口から供給して全ての針でニットするコースを編成している。
さらに、コースＣ１５、Ｃ１９ではキュプラと６６ナイロンの混紡糸１３を他の給糸口から供給して全ての針でニットするコースを１コースして編成している。
即ち、ニットが３コース連続する領域で第２種編み糸のコースの間でキュプラ混紡糸のコースを挟んでいる。
【００３４】
このように、伸縮力の弱い第２種編み糸でニットのみからなるコースＣ１１、Ｃ１２の２コース連続して設けると共に、第２種編み糸でニットのみからなるコース１４と１６およびキュプラ混紡糸でニットのみからなるコース１５の３コースを連続して設けることにより、止め編み領域よりは低い締め付け力として身体への圧迫感を減少して装着感を向上させることができると共に、肌触りも良くすることができる。
また、前記ニットのみからなるコースを２〜３コース連続させた後に、伸縮力の強い第１種編み糸で編成した１ウエールタック、１ウエールミスを繰り返すコースを１コース介在させることにより、適度な締め付け力の付与が可能となると同時に、外側へのカール発生を効果的に抑制することができる。
かつ、ニットのみが３コース連続する領域では中間コースをキュプラ混紡糸で編成しているため、吸・放湿性を高めることができ、肌に密着する端末部において着用感を高めることができる。
なお、他の構成は第一実施形態と同一であるため、説明を省略する。
【００３５】
図５は第三実施形態を示す。
第三実施形態では、４インチの４口丸編み機を用いて編成し、伸縮力の強い第１種編み糸として１３０デシテックスのポリウレタン弾性芯糸に２８デシテックスの６６ナイロン糸を巻きつけたシングルカバーリングヤーン１１を用い、伸縮力の弱い編み糸として２０デシテックスのポリウレタン弾性芯糸に２８デシテックスの６６ナイロン糸を巻きつけたシングルカバーリングヤーンからなる第２種の編み糸１２を用いている。
図５に示すように、第１編み止め部分２ａのコース数を２コース、第２編み止め部分２ｂのコースの数を３コースとしている。
【００３６】
ウエルト編み領域３のニットのみからなる連続するコースの数をすべて３コースとし、連続する３コース（Ｃ７、Ｃ８、Ｃ９）は全て第２種編み糸で編成している。
また、ウエルト編み領域３の最初のコースＣ６および前記ニットのみからなる３コースの間に介在させるコースＣ１０、Ｃ１４は伸縮力の強い第１種編み糸で編成し、１ウエールタック、３ウエールミスを繰り返している。
【００３７】
前記構成の第三実施形態においても、適度な締め付け力を付与でき、心地よい装着感が得られると共に、肌触りも良くし、外側へのカールも効果的に防止することができる。
なお、ウエルト編み領域３では、第３種編み糸でニットのみからなる連続した３コースを編成しているが、３コースの中央のコースに、キュプラと６６ナイロンの混紡糸で編成したコースを介在させると、、キュプラによる吸・放湿性を高めることができ、肌に密着させる端末編組織領域において蒸れを発生させない利点がある。
【００３８】
図６は第四実施形態を示す。
第四実施形態では、７インチの４口丸編機を用い、６１６本ある針のうち、１本飛ばしで３０８本の針を用いて止め編みからウエルト編みまでの端末編組織を編成する。即ち、第１列目の針１０−１、第３列目の針１０−３、第５列目の針１０−５、第７列目の針１０−７というように針を１本ずつ飛ばして全体の半分の針を使用して編成している。
また、伸縮力の強い第１種編み糸として１５６デシテックスのポリウレタン弾性芯糸に７８デシテックスの６６ナイロン糸を巻きつけたシングルカバーリングヤーンからなる第１種編み糸１１を用いている。また、伸縮力の弱い編み糸として２０デシテックスのポリウレタン弾性芯糸に２８デシテックスの６６ナイロン糸を巻きつけたシングルカバーリングヤーンからなる第２種編み糸１２と、該第２種編み糸に６６デシテックスのウーリーナイロンを添え糸とした編み糸１４を用いている。
【００３９】
詳細には、図６に示すように、止め編み領域２の第１止め編み部分２ａは２コースとして１ウエールニット、３ウエールミスを繰り返す編成とし、第２止め編み部分２ｂは３コースとして１ウエールタック、３ウエールミスを繰り返す編成としている。
ウエルト編み領域３では、コースＣ６、Ｃ８、Ｃ９、Ｃ１１、Ｃ１２、Ｃ１４、Ｃ１５は前記編み糸１４を用いてニットのみから編成している。
このように、編み糸１４でニットのみからなるコースＣ６を編成した後、１ウエールタック、１ウエールミスを繰り返す１コースを前記伸縮力の強い第１種編み糸１１で編成し、さらに、編み糸１４でニットのみからなる連続する２コース、１ウエールタック、１ウエールミスを繰り返す１コースというパターンを繰り返している。
第四実施形態においても、適度な締め付け力を付与でき、心地よい装着感が得られると共に、肌触りも良くし、外側へのカールも効果的に防止することができる。
【００４０】
図７は第五実施形態を示す。
第五実施形態においては、図１に示す筒状編地１を２本用いて形成したパンツ２０を示す。パンツ２０は２本の筒状編地１を並設し、股部となる上部の隣接位置を切り開いて縫着している。このパンツ２０では両側の足回り端をシングルウエルトとし、下端に止め編み領域２が位置し、該止め編み領域２にウエルト編み領域が連続し、その上部から上端のウエスト位置まで本体編み領域４で、上端のウエスト部分がダブルウエルト編み領域５となる。
【００４１】
前記パンツ２０では足回り端がシングルウエルトとなるため、足回り端に段差が発生せず、外観にひびかないようにすることができる。かつ、止め編み領域２を太いポリウレタン弾性芯糸を備えたシングルカバーリングヤーン１１からなる伸縮力のある第１種編み糸で編成すると共に、すべてのウエールでニットさせていないため、外側へのカールの発生が抑制され、かつ適度な締め付け力を付与して心地よい装着感を得ることができる。
また、ウエルト編み領域３では、太い弾性芯糸を備えたシングルカバーリングヤーンからなる伸縮性の強い第１種編み糸で編成したコースと、前記編み糸より伸縮力の弱い編み糸で編成したコースとを組み合わせているため、該ウエルト編み領域３においても適度の締め付け力の付与が可能となり、装着感を向上させると共に、肌触りも良くすることができ、さらに、外側へのカール発生も抑制することができる。
前記ウエルト編み領域３で第１種編み糸よりも伸縮力の弱い編み糸としてキュプラ混紡糸で編成したコースも組み合わせると、吸・放湿性を高めることができる。
さらに、ウエルト編み領域３で第１種編み糸よりも伸縮力の弱い編み糸としてウーリーナイロン糸も組わあせると、風合いを向上させると共に、張力、外観のバランスをとることができる、かかる混紡糸ならウーリーナイロンに代えて、適宜、同様な効果を有する糸、例えば、綿混紡等を用いてもよい。
なお、本実施形態のパンツ２０におけるウエスト部分のダブルウエルト編み領域５を本構成のシングルウエルトとしても、同様の特徴、機能が得られる。
【００４２】
前記パンツに限定されず、筒状編地でトップインナーの袖を形成し、その袖口を前記シングルニットでシングルウエルトとした端末編組織とした場合、筒状編地を大径としてシャツの身頃部を形成して裾端を前記シングルニットでシングルウエルトとした端末編組織とした場合、パンティストッキング、ストッキング、ソックスを筒状編地で編成し、その穿き口を前記シングルニットでシングルウエルトとした端末編組織とした場合等のいずれにおいても、袖口、裾端、穿き口は、前記パンツの足回り端と同様に薄く外観にひびかず、かつ外向きのカールも発生しない。さらに、適度な締め付け力も付与して心地よい装着感を得ることができる。
【図面の簡単な説明】
【００４３】
【図１】本発明の端末編組織を備えた筒状編地の概略図である。
【図２】第一実施形態における編組織の説明図である。
【図３】第一実施形態における編組織を示す図面である。
【図４】第二実施形態における編組織の説明図である。
【図５】第三実施形態における編組織の説明図である。
【図６】第四実施形態における編組織の説明図である。
【図７】第五実施形態のパンツを示す概略図である。
【図８】（Ａ）は従来の編組織の一部を示す図面、（Ｂ）は別の編組織の一部を示す図面である。
【図９】従来の編組織を示す説明図である。
【符号の説明】
【００４４】
１  筒状編地
２  止め編み領域
３  ウエルト編み領域
４  本体編み領域
５  ダブルウエルト編み領域
１０−１〜１０−ｎ  針
１１  第１種編み糸からなるシングルカバーリングヤーン
１２  第２種編み糸からなるシングルカバーリングヤーン
１３  キュプラとナンロンの混紡糸
１４  第２種編み糸にウーリーナイロンを添え糸とした編み糸
２０  パンツ
【図１】
2007131976.tif 000003
【図２】
2007131976.tif 000004
【図３】
2007131976.tif 000005
【図４】
2007131976.tif 000006
【図５】
2007131976.tif 000007
【図６】
2007131976.tif 000008
【図７】
2007131976.tif 000009
【図８】
2007131976.tif 000010
【図９】
2007131976.tif 000011